(57)【要約】【目的】ゴミの投入が容易であり、ゴミ収容空間の容量を変えることができるゴミ箱１０を提供する。【構成】投入部１４とゴミ箱本体１６との間に伸縮部１８が設けられ、伸縮部１８を伸長または収縮させることによってゴミ収容空間の容量および投入口の向きが調整される。たとえば、ゴミの量が多い場合には、伸縮部１８が伸長されることによってゴミ収容空間の容量が増大され、ゴミの量が少ない場合には、伸縮部１８が収縮されることによってゴミ箱１０の全体サイズが小さくされる。ゴミ箱１０はボトルホルダー１２によって支持されるので、ゴミ箱１０の置き場所に困ることはない。【選択図】              図２
2004182443.tif 000002
【特許請求の範囲】
【請求項１】
飲料水用のボトルホルダーによって支持されるゴミ箱であって、
ゴミが投入される投入口を有する投入部、
内部にゴミ収容空間を有するカップ状のゴミ箱本体、および
伸縮自在に構成された筒状の側壁を有し、一端が前記投入部に接続され、他端が前記ゴミ箱本体に接続された伸縮部を備える、ゴミ箱。
【請求項２】
前記伸縮部の前記側壁は、２つの斜辺が「へ」字状に連なった複数の山部によって構成され、前記側壁を収縮させた状態では、一方の斜辺が反転して他方の斜辺に重ね合わされる、請求項１に記載のゴミ箱。
【発明の詳細な説明】
【０００１】
【産業上の利用分野】
この発明は、飲料水用のボトルホルダーによって支持されるゴミ箱に関する。
【０００２】
【従来の技術】
たとえば、自動車内においては、運転者等の手の届くところにゴミ箱を置いておくことが便利であるが、車体の振動による転倒を防止することを考慮すると、ゴミ箱の設置スペースを確保するのは容易ではない。一方、缶またはペットボトル等のような飲料水容器については、図９に示すようなボトルホルダー１が用いられており、このボトルホルダー１を用いれば、運転者等の手の届くところに飲料水容器を転倒することなく置くことができる。
【０００３】
そのため、従来では、図９に示すように、ボトルホルダー１に空の紙コップ２等を載せて、これをゴミ箱代わりに用いるようにしていた。
【０００４】
【発明が解決しようとする課題】
しかし、紙コップ２等をゴミ箱代わりに用いたものは、ゴミの投入口Ａが上を向くため、運転者等にとってゴミを投入し易いものではなかった。また、紙コップ２等の容量は一定であり、ゴミの量に応じて容量を変えることはできなかった。
【０００５】
それゆえに、この発明の主たる目的は、ゴミの投入が容易であり、ゴミの量に応じて容量を変えることができる、ゴミ箱を提供することである。
【０００６】
【課題を解決するための手段】
請求項１に記載した発明は、「飲料水用のボトルホルダー１２によって支持されるゴミ箱１０であって、ゴミが投入される投入口Ａを有する投入部１４、内部にゴミ収容空間Ｂを有するカップ状のゴミ箱本体１６、および伸縮自在に構成された筒状の側壁を有し、一端が投入部１４に接続され、他端がゴミ箱本体１６に接続された伸縮部１８を備える、ゴミ箱１０」である。
【０００７】
この発明では、投入部１４とゴミ箱本体１６との間に伸縮部１８を設けているので、投入口Ａをゴミの投入が容易な方向に向けることができる。また、ゴミの量が多い場合には、伸縮部１８を伸長させることによってゴミ収容空間Ｂの容量を増大させることができる。
【０００８】
請求項２に記載した発明は、請求項１に記載した発明において、「伸縮部１８の側壁は、２つの斜辺５０ａ，５０ｂが「へ」字状に連なった複数の山部５０によって構成され、側壁を収縮させた状態では、一方の斜辺５０ｂが反転して他方の斜辺５０ａに重ね合わされる」ことを特徴とする。
【０００９】
この発明では、伸縮部（側壁）１８を収縮させた状態において、山部５０を構成する一方の斜辺５０ｂが反転して他方の斜辺５０ａに重ね合わされる。したがって、伸縮部（側壁）１８を収縮させる力を解除した後も、その収縮状態が安定して保持される。
【００１０】
【発明の実施の形態】
図１〜図３を参照して、この発明が適用されたゴミ箱１０は、乗物（自動車，列車または航空機等）や劇場等の座席周りにおいて、飲料水用のボトルホルダー１２によって支持されるものであり、投入部１４，ゴミ箱本体１６，伸縮部１８および連結部２０によって構成される。
【００１１】
投入部１４は、図４に示すように、ゴミを投入する投入口Ａを有する枠体２２と投入口Ａを開閉する蓋体２４とによって構成される。
【００１２】
枠体２２（図４）は、リング状の枠本体２６を有し、枠本体２６の内面には、複数の係止突起２８が周方向へ延びて形成される。また、枠本体２６の上端面には、蓋体２４の外周面に嵌合される嵌合突条３０が形成され、枠本体２６の外側面には、蓋体２４を回動自在に支持するための支持部３２が形成される。
【００１３】
支持部３２は、互いに間隔を隔てて設けられた２つの軸受板３２ａを有し、各軸受板３２ａには、軸受孔３２ｂが形成され、各軸受板３２ａの互いに対向する面には、板状の補強リブ３２ｃが形成される。そして、２つの補強リブ３２ｃの間には、上下方向へ弾性変形可能な板バネ部３２ｄが形成され、板バネ部３２ｄの上面には、係止突起３２ｅが形成される。
【００１４】
蓋体２４（図４）は、円盤状の蓋本体３４を有し、蓋本体３４の周縁部には、枠体２２における嵌合突条３０の内周面に嵌合される嵌合部３６が形成され、嵌合部３６の外側面には、把手３８および取付部４０が形成される。
【００１５】
取付部４０は、互いに間隔を隔てて設けられた２つの取付板４０ａを有し、各取付板４０ａには、回動軸４０ｂが形成される。また、２つの取付板４０ａの間には、隙間４０ｃを介して板状部４０ｄが形成され、板状部４０ｄの下面中央部には、図５に示すように、外周部に係止溝４２ａおよび４２ｂを有する円盤状の係止部４２が形成される。
【００１６】
そして、蓋体２４の各回動軸４０ｂが枠体２２の各軸受孔３２ｂに嵌合されることによって、蓋体２４が枠体２２に取り付けられる。
【００１７】
蓋体２４を閉じて投入口Ａを封鎖した状態では、図５に示すように、蓋体２４の一方の係止溝４２ａが枠体２２の係止突起３２ｅに係止され、蓋体２４を開いて投入口Ａを開放した状態では、図６に示すように、蓋体２４の他方の係止溝４２ｂが枠体２２の係止突起３２ｅに係止される。したがって、蓋体２４を閉じた状態では、投入口Ａが不所望に開放される心配はなく、また、蓋体２４を開いた状態では、投入口Ａが不所望に封鎖される心配はない。
【００１８】
ゴミ箱本体１６は、図３に示すように、筒状の側壁１６ａと底板１６ｂとによって構成されたカップ状の部材であり、ゴミ箱本体１６の内部には、ゴミ収容空間Ｂが確保される。側壁１６ａおよび底板１６ｂはブリキによって形成され、それらの端縁は、手を傷付ける危険を回避するために丸められる。
【００１９】
ゴミ箱本体１６の外径は、ボトルホルダー１２（図２）における支持枠１２ａの内径よりも小さく設定され、ゴミ箱本体１６の高さは、ボトルホルダー１２（図２）における底板１２ｂから支持枠１２ａまでの高さよりも高く設定される。したがって、ゴミ箱１０をボトルホルダー１２に載置した状態では、ゴミ箱本体１６の外面が支持枠１２ａの内面で支持される。
【００２０】
伸縮部１８は、図３に示すように、蛇腹状の側壁を有する筒状の本体４４を有し、本体４４の上端部には、投入部１４が接続される上側接続部４６が形成され、本体４４の下端部には、ゴミ箱本体１６が接続される下側接続部４８が形成される。
【００２１】
本体４４における蛇腹状の側壁は、２つの斜辺５０ａおよび５０ｂが「へ」字状に連なった複数の山部５０によって構成される。各山部５０においては、「開状態」または「閉状態」のいずれかの態様がとられ、「開状態」では、図３に示すように、２つの斜辺５０ａおよび５０ｂが互いに突っ張ることによって「へ」字状となり、「閉状態」では、図７に示すように、一方の斜辺５０ｂが反転して他方の斜辺５０ａに重ね合わされる。
【００２２】
したがって、山部５０の全てを「開状態」にすると、伸縮部１８が最も伸長され（図３）、山部５０の全てを「閉状態」にすると、伸縮部１８が最も収縮される（図７）。また、本体４４における周方向の一部を「開状態」にし、かつ、「開状態」にされた部分と対向する部分を「閉状態」にすると、図８に示すように、伸縮部１８の上端面が傾斜される。
【００２３】
上側接続部４６（図３）は、本体４４の上端部から軸方向へ延びる筒状部４６ａを有し、筒状部４６ａの外面には、投入部１４（図４）の係止突起２８に係合される係止溝４６ｂが形成される。一方、下側接続部４８（図３）は、本体４４の下端部から軸方向へ延びる筒状部４８ａを有し、筒状部４８ａの外面には、連結部２０の係止突起２０ｂに係合される係止溝４８ｂが形成される。
【００２４】
連結部２０は、伸縮部１８における下側接続部４８の外面に嵌合される筒状の本体２０ａを有し、本体２０ａの内面には、係止突起２０ｂが周方向へ延びて形成され、本体２０ａの下端部には、ゴミ箱本体１６の上端部を受容する受容部２０ｃが形成される。また、受容部２０ｃの内面には、ゴミ箱本体１６の上端部に係止される係止爪２０ｄが形成される。
【００２５】
なお、投入部１４，伸縮部１８および連結部２０の材質は、特に限定されるものではないが、成形が容易であることから、ＡＢＳ樹脂，ＰＥ（ポリエチレン）またはＰＰ（ポリプロピレン）等のような合成樹脂を用いることが望ましい。また、ゴミ箱本体１６の材質としては、上述したブリキの他にＡＢＳ樹脂，ＰＥ（ポリエチレン）またはＰＰ（ポリプロピレン）等のような合成樹脂を用いてもよい。
【００２６】
ゴミ箱１０を組み立てる際には、伸縮部１８の一端（上端）が投入部１４に接続され、他端（下端）が連結部２０を介してゴミ箱本体１６に接続される。
【００２７】
ゴミ箱１０は、図２に示すように、ボトルホルダー１２に載置された状態で使用される。ゴミ箱１０を使用する際には、伸縮部１８の上端面を傾斜させることによって投入口Ａの向きを調整する。そして、蓋体２４を開いて投入口Ａを開放し、投入口Ａからゴミ箱本体１６のゴミ収容空間Ｂ内へゴミを投入する。ゴミ収容空間Ｂがゴミで一杯になると、伸縮部１８を伸長させることによってゴミ収容空間Ｂの容量を増大させる。また、ゴミ箱１０の使用を休止する際には、蓋体２４を閉じることによって投入口Ａを閉鎖し、ゴミが発する異臭を封じ込める。
【００２８】
なお、この実施例では、投入部１４，ゴミ箱本体１６，伸縮部１８および連結部２０を別部材として形成しているが、これらの部材の少なくとも２つ以上を一体に形成してもよい。
【００２９】
また、図２では、後付けタイプのボトルホルダー１２を図示したが、本発明のゴミ箱は、自動車等の内装設備や劇場等の座席に作り付けられたボトルホルダーにも適用できることは言うまでもない。
【００３０】
【発明の効果】
この発明によれば、伸縮部を伸長または収縮させることによって、ゴミの投入が容易な方向に投入口を向けることができる。また、ゴミの量が多い場合には、伸縮部を伸長させることによってゴミ収容空間の容量を増大させることができ、ゴミの量が少ない場合には、伸縮部を収縮させて全体サイズを小さくしておくことができる。
【図面の簡単な説明】
【図１】本発明が適用されたゴミ箱を示す平面図である。
【図２】本発明が適用されたゴミ箱を示す正面図である。
【図３】図１におけるＩＩＩ−ＩＩＩ線断面図である。
【図４】投入部（枠体および蓋体）を示す斜視図である。
【図５】投入部の閉状態を示す断面図である。
【図６】投入部の開状態を示す断面図である。
【図７】伸縮部を収縮させた状態を示す断面図である。
【図８】伸縮部の上端面を傾斜させた状態を示す断面図である。
【図９】従来技術を示す図である。
【符号の説明】
１０…  ゴミ箱
１２…  ボトルホルダー
１４…  投入部
１６…  ゴミ箱本体
１８…  伸縮部
２０…  連結部
２２…  枠体
２４…  蓋体
３２…  支持部
５０…  山部
５０ａ，５０ｂ  …  斜辺
【図１】
2004182443.tif 000003
【図２】
2004182443.tif 000004
【図３】
2004182443.tif 000005
【図４】
2004182443.tif 000006
【図５】
2004182443.tif 000007
【図６】
2004182443.tif 000008
【図７】
2004182443.tif 000009
【図８】
2004182443.tif 000010
【図９】
2004182443.tif 000011